【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
ロックされたクロック信号を用いて処理されるビデオ信号とオーディオ信号との間の同期を維持するシステムであって、
バッファの少なくとも１つの初期レベルを判定する構成要素と、
前記バッファの少なくとも１つの現在のレベルを判定する構成要素と、
前記バッファの少なくとも１つの初期レベルと前記バッファの少なくとも１つの現在のレベルとを比較してドリフト量を判定し、当該ドリフト量が閾値レベルに達している場合にバッファの初期中間点レベルが維持されるようにクロック信号を調整する構成要素と、
からなる、ビデオ信号とオーディオ信号との間の同期を維持するシステム。
【請求項２】
前記バッファの少なくとも１つの初期レベルが、初期中間点レベル（Ｉｎｉｔ  Ｍｉｄ）からなる、請求項１に記載のビデオ信号とオーディオ信号との間の同期を維持するシステム。
【請求項３】
前記バッファの少なくとも１つの初期レベルが、初期最小動作レベル（Ｉｎｉｔ  Ｍｉｎ）と、初期最大動作レベル（Ｉｎｉｔ  Ｍａｘ）と、初期中間点レベル（Ｉｎｉｔ  Ｍｉｄ）とからなる、請求項１に記載のビデオ信号とオーディオ信号との間の同期を維持するシステム。
【請求項４】
前記初期中間点レベル（Ｉｎｉｔ  Ｍｉｄ）が、以下の数式により計算される、請求項３に記載のビデオ信号とオーディオ信号との間の同期を維持するシステム。
初期中間点レベル（Ｉｎｉｔ  Ｍｉｄ）  ＝  （初期最大動作レベル（Ｉｎｉｔ  Ｍａｘ）  ＋  初期最小動作レベル（Ｉｎｉｔ  Ｍｉｎ））／２
【請求項５】
前記バッファの少なくとも１つの現在のレベルが、現在の中間点レベル（Ｃｕｒ  Ｍｉｄ）からなる、請求項１に記載のビデオ信号とオーディオ信号との間の同期を維持するシステム。
【請求項６】
前記バッファの少なくとも１つの現在のレベルが、現在の最小動作レベル（Ｃｕｒ  Ｍｉｎ）と、現在の最大動作レベル（Ｃｕｒ  Ｍａｘ）と、現在の中間点レベル（Ｃｕｒ  Ｍｉｄ）とからなる、請求項３に記載のビデオ信号とオーディオ信号との間の同期を維持するシステム。
【請求項７】
前記現在の中間点レベル（Ｃｕｒ  Ｍｉｄ）が、以下の数式により計算される、請求項６に記載のビデオ信号とオーディオ信号との間の同期を維持するシステム。
動作中間点  ＝  現在の中間点レベル（Ｃｕｒ  Ｍｉｄ）  ＝  現在の最小動作レベル（Ｃｕｒ  Ｍｉｎ）  ＋  初期中間点レベル（Ｉｎｔ  Ｍｉｄ）  −  初期最小動作レベル（Ｉｎｉｔ  Ｍｉｎ）
【請求項８】
前記オーディオ信号および前記ビデオ信号が、ＭＰＥＧ（Ｍｏｖｉｎｇ  Ｐｉｃｔｕｒｅ  Ｅｘｐｅｒｔｓ  Ｇｒｏｕｐ）信号からなる、請求項１に記載のビデオ信号とオーディオ信号との間の同期を維持するシステム。
【請求項９】
前記システムが、テレビジョン・セットの部分である、請求項１記載のビデオ信号とオーディオ信号との間の同期を維持するシステム。
【請求項１０】
前記テレビジョン・セットが、高品位テレビジョン（ＨＤＴＶ：Ｈｉｇｈ  Ｄｅｆｉｎｉｔｉｏｎ  Ｔｅｌｅｖｉｓｉｏｎ）セットである、請求項９に記載のビデオ信号とオーディオ信号との間の同期を維持するシステム。
【請求項１１】
ロックされたクロック信号を用いて処理されるビデオ信号とオーディオ信号との間の同期を維持するシステムであって、
バッファの少なくとも１つの初期レベルを判定する手段と、
前記バッファの少なくとも１つの現在のレベルを判定する手段と、
前記バッファの少なくとも１つの初期レベルと前記バッファの少なくとも１つの現在のレベルとを比較して、ドリフト量を判定する手段と、
前記ドリフト量が、閾値レベルに達している場合にバッファの初期中間点レベルが維持されるようにクロック信号を調整する手段と、
からなる、ビデオ信号とオーディオ信号との間の同期を維持するシステム。
【請求項１２】
前記バッファの少なくとも１つの初期レベルが、初期中間点レベル（Ｉｎｉｔ  Ｍｉｄ）からなる、請求項１１に記載のビデオ信号とオーディオ信号との間の同期を維持するシステム。
【請求項１３】
前記バッファの少なくとも１つの初期レベルが、初期最小動作レベル（Ｉｎｉｔ  Ｍｉｎ）と、初期最大動作レベル（Ｉｎｉｔ  Ｍａｘ）と、初期中間点レベル（Ｉｎｉｔ  Ｍｉｄ）と、からなる、請求項１１に記載のビデオ信号とオーディオ信号との間の同期を維持するシステム。
【請求項１４】
前記初期中間点レベル（Ｉｎｉｔ  Ｍｉｄ）が以下の数式により計算される、請求項１３に記載のビデオ信号とオーディオ信号との間の同期を維持するシステム。
初期中間点レベル（Ｉｎｉｔ  Ｍｉｄ）  ＝  （初期最大動作レベル（Ｉｎｉｔ  Ｍａｘ）  ＋  初期最小動作レベル（Ｉｎｉｔ  Ｍｉｎ））／２
【請求項１５】
前記バッファの少なくとも１つの現在のレベルが、現在の中間点レベル（Ｃｕｒ  Ｍｉｄ）からなる、請求項１３に記載のビデオ信号とオーディオ信号との間の同期を維持するシステム。
【請求項１６】
前記バッファの少なくとも１つの現在のレベルが、現在の最小動作レベル（Ｃｕｒ  Ｍｉｎ）と、現在の最大動作レベル（Ｃｕｒ  Ｍａｘ）と、現在の中間点レベル（Ｃｕｒ  Ｍｉｄ）とからなる、請求項１３に記載のビデオ信号とオーディオ信号との間の同期を維持するシステム。
【請求項１７】
前記現在の中間点レベル（Ｃｕｒ  Ｍｉｄ）が、以下の数式により計算される、請求項１６に記載のビデオ信号とオーディオ信号との間の同期を維持するシステム。
動作中間点＝現在の中間点レベル（Ｃｕｒ  Ｍｉｄ）  ＝  現在の最小動作レベル（Ｃｕｒ  Ｍｉｎ）  ＋  初期中間点レベル（Ｉｎｔ  Ｍｉｄ）  −  初期最小動作レベル（Ｉｎｉｔ  Ｍｉｎ）
【請求項１８】
ロックされたクロック信号を用いて処理されるビデオ信号とオーディオ信号との間の同期を維持する方法であって、
バッファの少なくとも１つの初期レベルを判定するステップと、
前記バッファの少なくとも１つの現在のレベルを判定するステップと、
前記バッファの少なくとも１つの初期レベルと前記バッファの少なくとも１つの現在のレベルとを比較してドリフト量を判定するステップと、
前記ドリフト量が閾値レベルに達している場合に、バッファの初期中間点レベルが維持されるようにクロック信号を調整するステップと、
からなる、ビデオ信号とオーディオ信号との間の同期を維持する方法。
【請求項１９】
前記バッファの少なくとも１つの初期レベルを、初期動作最小レベル（Ｉｎｉｔ  Ｍｉｎ）と、初期最大動作レベル（Ｉｎｉｔ  Ｍａｘ）と、初期中間点レベル（Ｉｎｉｔ  Ｍｉｄ）とからなると定義するステップと、
前記初期中間点レベル（Ｉｎｉｔ  Ｍｉｄ）を以下の数式に従って計算するステップと、
を含む、請求項１８に記載のビデオ信号とオーディオ信号との間の同期を維持する方法。
初期中間点レベル（Ｉｎｉｔ  Ｍｉｄ）  ＝  （初期最大動作レベル（Ｉｎｉｔ  Ｍａｘ）  ＋  初期最小動作レベル（Ｉｎｉｔ  Ｍｉｎ））／２
【請求項２０】
前記バッファの少なくとも１つの現在のレベルを、現在の最小動作レベル（Ｃｕｒ  Ｍｉｎ）と、現在の最大動作レベル（Ｃｕｒ  Ｍａｘ）と、現在の中間点レベル（Ｃｕｒ  Ｍｉｄ）とからなると定義し、
前記現在の中間点レベル（Ｃｕｒ  Ｍｉｄ）を、以下の数式により計算する、請求項１９に記載のビデオ信号とオーディオ信号との間の同期を維持する方法。
動作中間点  ＝  現在の中間点レベル（Ｃｕｒ  Ｍｉｄ）  ＝  現在の最小動作レベル（Ｃｕｒ  Ｍｉｎ）  ＋  初期中間点レベル（Ｉｎｔ  Ｍｉｄ）  −  初期最小動作レベル（Ｉｎｉｔ  Ｍｉｎ）
【手続補正２】
【補正対象書類名】明細書
【補正対象項目名】発明の名称
【補正方法】変更
【補正の内容】
【発明の名称】オーディオ信号とビデオ信号との間の同期を判定するシステムおよび方法